(57)【要約】【課題】複数の蓄電機能モジュールで構成される蓄電装置であって、いずれかの蓄電機能モジュールにおいて異常が発生した場合に、蓄電装置の出力を遮断する。【解決手段】蓄電機能モジュール２０６と、出力遮断スイッチ４０３と、出力遮断スイッチ４０３を接続状態とする信号を生成するコントローラＣＮＴ０と、を備える蓄電装置４００であって、遮断スイッチ４０３は、接続状態とする信号が入力された状態において充放電が可能な状態にし、接続状態とする信号が入力されない状態において充放電を遮断する状態にし、蓄電機能モジュール２０６は、蓄電機能モジュール２０６の状態を判定するコントローラＣＮＴ１〜ＣＮＴｚと、異常と判定された場合、開状態となるスイッチＳＷ１〜ＳＷｚと、を有し、スイッチＳＷ１〜ＳＷｚは、コントローラＣＮＴ０と出力遮断スイッチ４０３とを接続する信号線４０５上に配置される。【選択図】図４
2013118786.tif 000002
【特許請求の範囲】
【請求項１】
電力を充放電可能な蓄電機能モジュールと、
該蓄電機能モジュールの充放電を遮断可能な遮断スイッチと、
該遮断スイッチを接続状態とする信号を生成する信号生成手段と、
を備える蓄電装置であって、
前記遮断スイッチは、
前記接続状態とする信号が入力された状態において、前記蓄電機能モジュールの充放電が可能な状態にし、
前記接続状態とする信号が入力されない状態において、前記蓄電機能モジュールの充放電を遮断する状態にし、
前記蓄電機能モジュールは、
該蓄電機能モジュールの状態を判定する状態判定手段と、
該状態判定手段の判定結果により異常と判定された場合、開状態となるスイッチと、を有し、
該スイッチは、前記信号生成手段と前記遮断スイッチとを接続する信号線上に配置される
ことを特徴とする蓄電装置。
【請求項２】
前記蓄電装置は、複数の前記蓄電機能モジュールを備え、
複数の前記スイッチは、制御手段と前記遮断スイッチとを接続する信号線上に直列に配置される
ことを特徴とする請求項１に記載の蓄電装置。
【請求項３】
前記蓄電機能モジュールは、二次電池である
ことを特徴とする請求項１または請求項２に記載の蓄電装置。
【請求項４】
前記蓄電機能モジュールは、蓄電器である
ことを特徴とする請求項１または請求項２に記載の蓄電装置。
【請求項５】
前記蓄電機能モジュールは、勢車蓄電装置である
ことを特徴とする請求項１または請求項２に記載の蓄電装置。
【請求項６】
前記蓄電機能モジュールは、情報表示部を有する
ことを特徴とする請求項１乃至請求項５のいずれか１項に記載の蓄電装置。
【請求項７】
前記情報表示部は、前記蓄電機能モジュールの運転状況を表示する
ことを特徴とする請求項６に記載の蓄電装置。
【請求項８】
前記蓄電機能モジュールは、通信手段を有する
ことを特徴とする請求項１乃至請求項７のいずれか１項に記載の蓄電装置。
【請求項９】
前記通信手段は、前記蓄電機能モジュールの運転状況を送信する
ことを特徴とする請求項８に記載の蓄電装置。
【請求項１０】
前記蓄電機能モジュールは、
前記通信手段で、前記スイッチを開状態とする信号を受信すると、該スイッチを開状態とする
ことを特徴とする請求項８に記載の蓄電装置。
【発明の詳細な説明】
【技術分野】
【０００１】
本発明は、蓄電装置に関する。
【背景技術】
【０００２】
電力蓄積システム（蓄電装置）は、大きな電力を蓄電できる機能を有し、電力供給システムあるいは電力負荷システムと連携して、電力供給に余裕がある場合に電力の蓄え、電力供給の要求を受けると蓄電していた電力を供給することができるようになっている。なお、電力蓄積システムは色々な使用方法があり、使用目的により電力蓄積システムの規模が異なる。例えば、住宅設備やサーバセンタの負荷変動抑制や停電対策、電気鉄道の回生電力吸収システム、さらには再生可能エネルギシステムや原子力発電所などの大規模系統安定などである。
【０００３】
例えば、電力供給システムが電力系統に接続される場合では、電力蓄積システムは蓄電を行い、また、電力系統から電力の供給の要求があると電力蓄積システムに蓄電された電力を電力系統に供給する。ここで、電力系統に接続される発電システム（電力供給システム）は、例えば原子力発電システムのように安定して電力を供給するシステムとは限らず、例えば風力発電システムや太陽光発電システムのように頻繁に変化する自然状態に基づき発電能力が変動する発電システムである場合がある。また、電力負荷システムが必要とする負荷電力が変動する場合があり、安定した電力を供給する発電システムに対して負荷電力の変動がそぐわない場合がある。
【０００４】
このような場合に電力蓄積システムを使用して、電力負荷システムに供給される負荷電力に対して電力系統に電力を供給する発電システム（電力供給システム）の発電電力に余裕がある状態で蓄電し、逆に、負荷電力に対して発電電力に余裕がない状態で蓄電していた電力を放電する運転を行うことで、電力系統が安定して電力を供給できるようになり、あるいは、電力系統の効率を向上させることが可能となる。
【０００５】
電力蓄積システムが接続された電力系統に関する技術は、例えば特開２０１０−２７０７５８号公報（特許文献１）に開示されている。また、電力蓄積システムの制御技術が特開２００７−１２４７８０号公報（特許文献２）に開示されている。
【先行技術文献】
【特許文献】
【０００６】
【特許文献１】特開２０１０−２７０７５８号公報
【特許文献２】特開２００７−１２４７８０号公報
【発明の概要】
【発明が解決しようとする課題】
【０００７】
このような電力蓄積システムの蓄電装置は、複数の蓄電池を直列、あるいは、並列に接続することにより、大電力・大容量な蓄電装置を実現している。しかし、複数の蓄電池により構成されるため、いずれかの蓄電池において異常が発生した場合、その影響が蓄電池全体に及ぶおそれがあるため、蓄電装置としての出力を遮断する必要がある。
【０００８】
そこで、本発明は、複数の蓄電機能モジュールで構成される蓄電装置であって、いずれかの蓄電機能モジュールにおいて異常が発生した場合に、蓄電装置の出力を遮断する出力遮断手段を備える蓄電装置を提供することを課題とする。
【課題を解決するための手段】
【０００９】
このような課題を解決するために、本発明は、電力を充放電可能な蓄電機能モジュールと、該蓄電機能モジュールの充放電を遮断可能な遮断スイッチと、該遮断スイッチを接続状態とする信号を生成する信号生成手段と、を備える蓄電装置であって、前記遮断スイッチは、前記接続状態とする信号が入力された状態において、前記蓄電機能モジュールの充放電が可能な状態にし、前記接続状態とする信号が入力されない状態において、前記蓄電機能モジュールの充放電を遮断する状態にし、前記蓄電機能モジュールは、該蓄電機能モジュールの状態を判定する状態判定手段と、該状態判定手段の判定結果により異常と判定された場合、開状態となるスイッチと、を有し、該スイッチは、前記信号生成手段と前記遮断スイッチとを接続する信号線上に配置されることを特徴とする。
【発明の効果】
【００１０】
本発明によれば、複数の蓄電機能モジュールで構成される蓄電装置であって、いずれかの蓄電機能モジュールにおいて異常が発生した場合に、蓄電装置の出力を遮断する出力遮断手段を備える蓄電装置を提供することができる。
【図面の簡単な説明】
【００１１】
【図１】電力蓄積システムが使用される発電システムの構成図である。
【図２】電力蓄積システムのシステム構成図である。
【図３】蓄電機能モジュールの一構成例を示した図である。
【図４】本実施形態に係る蓄電装置の概略ブロック図である。
【図５】本実施形態に係る蓄電装置の出力遮断手段の遮断回路ブロック図である。
【図６】第１比較例に係る蓄電装置の出力遮断手段の遮断回路ブロック図である。
【図７】第２比較例に係る蓄電装置の出力遮断手段の遮断回路ブロック図である。
【図８】第３比較例に係る蓄電装置の出力遮断手段の遮断回路ブロック図である。
【発明を実施するための形態】
【００１２】
以下、本発明を実施するための形態（以下「実施形態」という）について、適宜図面を参照しながら詳細に説明する。なお、各図において、共通する部分には同一の符号を付し重複した説明を省略する。
【００１３】
≪発電システム≫
図１は、電力蓄積システム１０４が使用される発電システムＳの構成図である。
発電システムＳにおいて、発電装置１０１で発電された電力は、電力系統１０２へ送電され、電力系統１０２を介して、図示しない電力を消費する電気的な負荷（電力負荷）に送電される。
【００１４】
ここで、発電装置１０１は、例えば、風力に基づいて発電する風力発電装置、水力に基づいて発電する水力発電装置、太陽光に基づいて発電する太陽光発電装置、などである。発電装置１０１の形態として、自然環境にやさしい、自然環境への負荷が少ない発電装置が近年注目されている。これらの代表例として、前述の風力発電装置、水力発電装置、あるいは、太陽光発電装置などが知られている。これら、自然エネルギに基づいて発電する発電装置は、自然環境への負荷が少ない反面、発電能力が自然界の状態に左右され、必要とされる電力負荷に発電能力が対応し難いという問題がある。
【００１５】
このため、図１に示すように、発電システムＳは、発電装置１０１で発電された電力を、一旦、電力蓄積システム１０４に蓄え、電力負荷の要求に応じて、予め電力蓄積システム１０４に蓄えていた電力を、電力系統１０２を介して、電力負荷に供給するシステムが考えられる。
【００１６】
電力蓄積システム１０４は、直流電力を蓄電する機能を有している。このため、発電装置１０１で発電された交流電力は、交流−直流変換装置１０３により直流電力に変換され、変換された直流電力が、電力蓄積システム１０４により、蓄電される。また、電力負荷から要求される電力は、交流送電系統である電力系統１０２を介して送電されるため、電力蓄積システム１０４に蓄えられていた直流電力は、直流−交流変換装置１０５により、交流電力に変換され、電力系統１０２を介して、電力負荷に供給される。
【００１７】
≪電力蓄積システム≫
図２は、電力蓄積システム１０４のシステム構成図である。
電力蓄積システム１０４は、電力蓄積システム建屋２０１に設置された制御装置２０２と、電力変換装置２０３と、蓄電機能モジュール２０６と、から構成されている。なお、特別高圧遮断器などの一般的に必要な設備は図示ならびに説明を省略する。
【００１８】
蓄電機能モジュール２０６は、多数のリチウムイオン蓄電池をモジュール化したものであり、この蓄電機能モジュール２０６を実際には数千台を電池棚２０５に格納するが、図２においては、簡単のため、棚板一段に８台、これを４段に格納したものとして図示している。
【００１９】
電池棚２０５の棚板一段に格納された蓄電機能モジュール２０６（図２においては、８台の蓄電機能モジュール２０６）は、直列に接続されており、電池電力線２０７を介して、電力変換装置２０３に接続されている。なお、図２において、電池棚２０５の棚板は４段であり、４本の電池電力線２０７がそれぞれ電力変換装置２０３に接続されている。
【００２０】
複数の電池電力線２０７（図２においては、４本）は、それぞれ電力変換装置２０３に配置した直流遮断器（図示せず）を経由して、並列に接続され、電力変換装置２０３内部の蓄電池群充放電回路（図示せず）に接続される。即ち、図２に示す電力蓄積システム１０４では、蓄電機能モジュール２０６が、直列に８台接続され、かつ、並列に４列接続されている。なお、以下の説明において、複数の蓄電機能モジュール２０６を直列、あるいは、並列に接続したものを蓄電装置と称するものとする。
【００２１】
蓄電池群充放電回路（図示せず）は、電力変換装置２０３内部の双方向直流−交流変換回路（図示せず、図１の交流−直流変換装置１０３および直流−交流変換装置１０５に相当）の直流側と接続され、双方向直流−交流変換回路（図示せず）の交流側は、電力引込線２０８、変成器２０９、電力系統引込線２１０を経由して、電力系統線２１１（図１の電力系統１０２に相当）に接続される。
【００２２】
電力変換装置２０３は、制御信号線ハーネス２０４を介して、制御装置２０２と接続され、制御装置２０２によって制御されるようになっている。制御装置２０２は、通信引込線２１２を経由して通信回線２１３に接続され、例えば系統電力管理者の集中管理コンピュータ（図示せず）からの指令を通信回線２１３を介して送受信して蓄電機能モジュール２０６の状態に合わせて蓄電機能モジュール２０６の充放電を実行するようになっている。
【００２３】
≪蓄電機能モジュール≫
図３は、蓄電機能モジュール２０６の一構成例を示した図である。
図３に示すように、蓄電機能モジュール２０６は、筐体３０１と、蓄電池群３０２と、蓄電監視ユニット３０３と、電力配線端子３０４と、を備えている。
【００２４】
蓄電池群３０２は、例えば、直径１８ミリメートル、長さ６５ミリメートル、公称定格３．６Ｖ１．５Ａｈのリチウムイオン電池セル２０４８本から構成され、３２本を並列に接続して定格３．６Ｖ４８．０Ａｈとしたものを、更に６４段直列に接続して定格２３０．４Ｖ４８．０Ａｈとしている。そして、蓄電池群３０２は、蓄電監視ユニット３０３を介して電力配線端子３０４と接続されている。
【００２５】
蓄電監視ユニット３０３は、蓄電池群３０２の状態を監視するものであり、後述する蓄電装置の出力遮断手段の一部を構成する。詳細は、図４および図５を用いて後述する。
【００２６】
電力配線端子３０４は、蓄電池群３０２に電力を蓄電させる、または、蓄電池群３０２に蓄電された電力を放電させるための端子であり、電池棚２０５（図２参照）に格納された他の蓄電機能モジュール２０６あるいは電池電力線２０７（図２参照）と接続される。
【００２７】
≪蓄電装置と出力遮断手段≫
複数の蓄電機能モジュール２０６で構成される蓄電装置４００と、いずれかの蓄電機能モジュール２０６において異常が発生した場合に、蓄電装置４００の出力を遮断する出力遮断手段について説明する。
図４は、本実施形態に係る蓄電装置４００の概略ブロック図である。図５は、本実施形態に係る蓄電装置４００の出力遮断手段の遮断回路ブロック図である。
図４の例においては、蓄電装置４００は、負極電圧出力端子４０１と正極電圧出力端子４０２との間に、蓄電機能モジュール２０６が直列に３台接続され、かつ、並列に複数列接続されている。なお、負極電圧出力端子４０１および正極電圧出力端子４０２は、電力変換装置２０３（図２参照）の内部の蓄電池群充放電回路（図示せず）と接続される端子である。
【００２８】
また、蓄電装置４００は、正極電圧出力端子４０２からの正極電圧出力を遮断可能な出力遮断スイッチ４０３を備えている。
ここで、蓄電装置４００の出力遮断手段は、図５に示すように、制御装置２０２（図２参照）のコントローラＣＮＴ０と、各蓄電機能モジュール２０６のコントローラ（ＣＮＴ１，ＣＮＴ２，……，ＣＮＴｚ）およびスイッチ（ＳＷ１，ＳＷ２，……，ＳＷｚ）と、出力遮断スイッチ４０３と、で構成される。
【００２９】
制御装置２０２（図２参照）のコントローラＣＮＴ０は、図４に示すように、各蓄電機能モジュール２０６のコントローラ（ＣＮＴ１，ＣＮＴ２，……，ＣＮＴｚ）と通信線４０４を介して通信可能に接続されている。
【００３０】
また、コントローラＣＮＴ０は、出力遮断スイッチ４０３の開閉を制御する機能を有し、出力遮断スイッチ４０３を接続状態（閉）とする際には、往路信号線４０５が接続される信号出力端子Ｓoutから信号「１」（high）を出力し、出力遮断スイッチ４０３を遮断状態（開）とする際には、信号出力端子Ｓoutから信号「０」（low）を出力するようになっている。また、出力遮断スイッチ４０３に入力された信号は、往路信号線４０５を介して、信号入力端子ＳinからコントローラＣＮＴ０に入力されるようになっている。
【００３１】
蓄電機能モジュール２０６は、蓄電監視ユニット３０３（図３参照）にコントローラＣＮＴ１（ＣＮＴ２，……，ＣＮＴｚ）と、スイッチＳＷ１（ＳＷ２，……，ＳＷｚ）と、を備えている。
【００３２】
コントローラＣＮＴ１（ＣＮＴ２，……，ＣＮＴｚ）は、その蓄電機能モジュール２０６の蓄電池群３０２（図３参照）の充電状態、温度、電圧、電流等を監視して、蓄電池群３０２の正常・異常を検知することができるようになっている。また、コントローラＣＮＴ１（ＣＮＴ２，……，ＣＮＴｚ）は、図４に示すように、通信線４０４を介して、コントローラＣＮＴ０に、蓄電池群３０２の正常・異常の検知結果、充電状態、温度、電圧、電流等を送信することができるようになっている。
【００３３】
また、コントローラＣＮＴ１（ＣＮＴ２，……，ＣＮＴｚ）は、スイッチＳＷ１（ＳＷ２，……，ＳＷｚ）の開閉を制御することができるようになっており、蓄電池群３０２が正常であると検知するとスイッチＳＷ１（ＳＷ２，……，ＳＷｚ）を接続状態（閉）とし、蓄電池群３０２が異常であると検知するとスイッチＳＷ１（ＳＷ２，……，ＳＷｚ）を遮断状態（開）とすることができるようになっている。なお、スイッチＳＷ１（ＳＷ２，……，ＳＷｚ）は、ノーマリ・オープン（normally open）のスイッチであることが望ましい。
【００３４】
出力遮断スイッチ４０３は、往路信号線４０５から信号「１」（high）が入力されると、接続状態（閉）となり、往路信号線４０５から信号「０」（low）が入力されると、遮断状態（開）となるようになっている。
出力遮断スイッチ４０３は、例えば、図５に示すように、トランジスタと、電磁接触器と、で構成され、往路信号線４０５をトランジスタのベースと接続し、往路信号線４０５から信号（high／low）により、コレクタ−エミッタ間の通電を制御し、電磁接触器のコイルに印加する電圧（Ｖｃｃ）を制御し、出力遮断スイッチ４０３の開閉を制御することができるようになっている。
【００３５】
往路信号線４０５は、コントローラＣＮＴ０の信号出力端子Ｓoutから各蓄電機能モジュール２０６のスイッチＳＷ１，ＳＷ２，……，ＳＷｚを直列に接続しつつ、出力遮断スイッチ４０３（トランジスタのベース端子）と接続されるようになっている。なお、スイッチＳＷ１，ＳＷ２，……，ＳＷｚを直列に接続する順序はどのような順番でもよく、蓄電装置４００の蓄電機能モジュール２０６（蓄電池群３０２）の接続順序と異なっていてもよい。
【００３６】
≪本実施形態に係る蓄電装置の作用・効果≫
本実施形態に係る蓄電装置４００の出力遮断手段によれば、例えば、コントローラＣＮＴｉ、スイッチＳＷｉを有する蓄電機能モジュール２０６（ｉは１，２，……，ｚのうち故障が発生した蓄電機能モジュール２０６の番号）において、コントローラＣＮＴ０が、出力遮断スイッチ４０３を接続状態（閉）信号「１」（high）を出力している状態であっても、異常が発生した蓄電機能モジュール２０６のコントローラＣＮＴｉがスイッチＳＷｉを遮断状態（開）とすることにより、出力遮断スイッチ４０３（トランジスタのベース端子）に入力される信号を信号「０」（low）とすることができる。これにより、コレクタ−エミッタ間が非導通状態となり、電磁接触器のコイルへ印加される電圧が遮断され、出力遮断スイッチ４０３を遮断状態（開）とすることができる。
【００３７】
次に、本実施形態に係る蓄電装置４００の出力遮断手段の作用・効果について、比較例（第１比較例〜第３比較例）と対比しつつ、さらに説明する。
【００３８】
まず、第１比較例〜第３比較例に係る蓄電装置の出力遮断手段について、図６から図８を用いて説明する。
【００３９】
＜第１比較例＞
図６は、第１比較例に係る蓄電装置の出力遮断手段の遮断回路ブロック図である。
第１比較例に係る蓄電装置の出力遮断手段は、論理積をとる手段として、ＡＮＤ素子を用いた回路である。
ここで、ＣＮＴ０は、出力遮断スイッチ４０３を接続状態（閉）とする場合には、信号「１」（high）を出力し、出力遮断スイッチ４０３を遮断状態（開）とする場合には、信号「０」（low）を出力する。また、ＣＮＴ１〜ＣＮＴｚは、蓄電機能モジュールの蓄電池群が正常である場合には、信号「１」（high）を出力し、異常である場合には、信号「０」（low）を出力する。
ＡＮＤ素子５０１は、ＣＮＴ０〜ＣＮＴｚからの信号が全て信号「１」（high）である場合には出力遮断スイッチ４０３に信号「１」（high）を出力し、ＣＮＴ０〜ＣＮＴｚのうち少なくとも１つ以上の信号が信号「０」（low）である場合には出力遮断スイッチ４０３に信号「０」（low）を出力する。
【００４０】
しかしながら、ＡＮＤ素子５０１が故障することにより、出力遮断スイッチ４０３に出力する信号が信号「１」（high）に固定される故障が発生した場合、蓄電装置を構成する複数の蓄電機能モジュールのうち、いずれか１つの蓄電機能モジュールが故障した場合であっても、第１比較例に係る蓄電装置の出力遮断手段は、出力遮断スイッチ４０３をＯＦＦとすることができない。即ち、蓄電機能モジュールの異常情報が全く反映されず、蓄電装置の出力を遮断することができない。
【００４１】
＜第２比較例＞
図７は、第２比較例に係る蓄電装置の出力遮断手段の遮断回路ブロック図である。
第２比較例に係る蓄電装置の出力遮断手段は、論理積をとる手段として、前方ユニットの出力端子と後方ユニットの入力端子とをつなぎ、各ユニットは、入力情報と自己の情報をＡＮＤして出力する回路である。
【００４２】
しかしながら、出力信号が信号「１」（high）で固定（常閉故障）されたユニットが存在すると、そのユニットより前段に配置されるユニットに異常が発生してもその異常情報を出力遮断スイッチ４０３に伝達することができず、蓄電装置の出力を遮断することができない。
【００４３】
＜第３比較例＞
図８は、第３比較例に係る蓄電装置の出力遮断手段の遮断回路ブロック図である。
第３比較例に係る蓄電装置の出力遮断手段は、論理積をとる手段として、Wired OR回路の逆論理とする回路である。
【００４４】
しかしながら、異常が発生した蓄電機能モジュールの蓄電監視ユニットの電源が切れた場合、出力遮断スイッチ４０３に入力される信号を信号「０」（low）とすることができず、蓄電装置の出力を遮断することができない。
【００４５】
これに対し、本実施形態に係る蓄電装置４００の出力遮断手段は、第１比較例のように１つの素子（ＡＮＤ素子５０１）が故障すると出力遮断手段全体が正常に機能しなくなるという素子がないため、素子の故障に対してロバストになる。
【００４６】
また、第２比較例のように、一つの蓄電機能モジュール２０６が常閉故障したとしても、上流側の蓄電機能モジュール２０６で異常を検知した場合、その蓄電機能モジュール２０６のスイッチＳＷｉを切ることにより、出力遮断スイッチ４０３に入力される信号を信号「０」（low）とすることができ、蓄電装置４００の出力を遮断することができる。
例えば、図４において、コントローラＣＮＴ６がスイッチＳＷ６に常時閉とする信号を送信する故障が発生したとしても、コントローラＣＮＴ１〜ＣＮＴ５は正常に機能しており、各蓄電機能モジュール２０６で異常を検知した場合、その蓄電機能モジュール２０６のスイッチＳＷｉを遮断状態（開）とすることにより、出力遮断スイッチ４０３を遮断状態とし、蓄電装置４００の出力を遮断することができる。
なお、コントローラＣＮＴ６が故障した場合において、コントローラＣＮＴ６の蓄電機能モジュール２０６が故障した場合、その異常は、例えば、直列に配置されたコントローラＣＮＴ４の蓄電機能モジュール２０６やコントローラＣＮＴ５の蓄電機能モジュール２０６の電圧変化や電流値変化として現れるので、コントローラＣＮＴ４やコントローラＣＮＴ５が異常を検知して、蓄電装置４００の出力を遮断することができる。
【００４７】
また、第３比較例のように、蓄電機能モジュール２０６の蓄電監視ユニット３０３の電源が切れた場合であっても、スイッチＳＷ１，……，ＳＷｚは、ノーマリ・オープン（normally open）のスイッチであり、出力遮断スイッチ４０３を遮断状態とし、蓄電装置４００の出力を遮断することができる。
【００４８】
≪変形例≫
なお、本実施形態に係る蓄電装置４００は、前述した実施形態の構成に限定されるものではなく、発明の趣旨を逸脱しない範囲内で種々の変更が可能である。
【００４９】
本実施形態において、蓄電装置４００は、発電電力が変動する発電装置１００（例えば、頻繁に変化する自然界の状態に基づき発電電力が変動する風力発電装置や水力発電装置や太陽光発電装置）とともに用いられているものとして説明したが、これに限られるものではない。本発明の適用には、発電システムＳの発電形態が特定されなければならないものとの必要性はない。発電システムＳの構成が明確になっていない場合であっても、蓄電される電力の供給を受けることが可能であれば、本発明の適用が可能である。
また、例えば、住宅設備やサーバセンタの負荷変動抑制や停電対策を目的とした蓄電装置であってもよく、電気鉄道の回生電力吸収システムに用いる蓄電装置であってもよく、再生可能エネルギシステムや原子力発電所などの大規模系統安定を目的とした蓄電装置であってもよい。また、使用目的により蓄電装置の規模は異なってもよい。
【００５０】
本実施形態において、蓄電装置４００の蓄電機能モジュール２０６は、リチウムイオン電池セルから構成される蓄電池群３０２に蓄電するものとして説明したが、これに限られるものではない。
例えば、鉛蓄電池、ニッケル・カドミウム蓄電池、ニッケル・水素蓄電池、リチウムイオン蓄電池などの二次電池や、電気二重層蓄電器、リチウムイオン電気二重層蓄電器などの蓄電器（コンデンサ）や、勢車蓄電装置（フライホイール・バッテリ）などであってもよく、今後登場するであろう未知の蓄電デバイスであってもよい。
【００５１】
また、スイッチＳＷ１，……，ＳＷｚは、コントローラＣＮＴ１，……，ＣＮＴｚの指令により開閉可能な構成であればよく、電磁機械スイッチ、カム軸スイッチ、空気圧スイッチ、油圧スイッチ、熱スイッチ（サーマルリレー）、半導体スイッチ、光半導体スイッチ、磁気半導体スイッチなど種々の品種が利用できる。
【００５２】
また、各蓄電機能モジュール２０６に情報表示部（図示せず）を設け、蓄電機能モジュール２０６ごとの運転状況、例えば、蓄電池群３０２の正常・異常の検知結果、充電状態、温度、電圧、電流等を表示することができる構成であってもよい。
このような構成によれば、異常を検知した蓄電機能モジュール２０６を作業者が容易に特定することができ、異常が発生した蓄電機能モジュール２０６の交換作業が容易となる。
【００５３】
また、蓄電機能モジュール２０６のコントローラＣＮＴ１，……，ＣＮＴｚが、通信線４０４を介して、制御装置２０２（コントローラＣＮＴ０）に、蓄電機能モジュール２０６の運転状況（例えば、蓄電池群３０２の正常・異常の検知結果、充電状態、温度、電圧、電流等）を送信し、制御装置２０２（コントローラＣＮＴ０）に設けられた情報表示部（図示せず）に蓄電機能モジュール２０６の運転状況を表示することができる構成であってもよい。
さらに、制御装置２０２から通信引込線２１２、通信回線２１３を介して、系統電力管理者の集中管理コンピュータ（図示せず）に蓄電機能モジュール２０６の運転状況を送信し、集中管理コンピュータの情報表示部（図示せず）に表示することができる構成であってもよい。
このような構成によれば、蓄電機能モジュール２０６の正常・異常の管理を一括して行うことができる。
【００５４】
また、制御装置２０２（コントローラＣＮＴ０）は、通信線４０４を介して蓄電機能モジュール２０６のコントローラＣＮＴ１，……，ＣＮＴｚにスイッチＳＷ１，……，ＳＷｚの遮断状態（開）とするように制御する信号を送信することができる構成であってもよい。
例えば、コントローラＣＮＴ０が信号出力端子Ｓoutから信号「１」（high）を出力した状態で、コントローラＣＮＴ１にスイッチＳＷ１を遮断状態（開）とするように制御する信号を送信することにより、コントローラＣＮＴ０の信号入力端子Ｓinに入力された信号が信号「１」（high）から信号「０」（low）に適切に切り替わるか否かを判定することにより、コントローラＣＮＴ１とスイッチＳＷ１の動作確認を行うことができる。
【符号の説明】
【００５５】
Ｓ        発電システム
１０１    発電装置
１０２    電力系統
１０３    交流−直流変換装置
１０４    電力蓄積システム
１０５    直流−交流変換装置
２０１    電力蓄積システム建屋
２０２    制御装置（信号生成手段）
２０３    電力変換装置
２０４    制御信号線ハーネス
２０５    電池棚
２０６    蓄電機能モジュール
２０７    電池電力線
２０８    電力引込線
２０９    変成器
２１０    電力系統引込線
２１１    電力系統線
２１２    通信引込線
２１３    通信回線
３０１    筐体
３０２    蓄電池群
３０３    蓄電監視ユニット（状態判定手段）
３０４    電力配線端子
４００    蓄電装置
４０１    負極電圧出力端子
４０２    正極電圧出力端子
４０３    出力遮断スイッチ（遮断スイッチ）
４０４    通信線（通信手段）
４０５    往路信号線
４０６    復路信号線
ＣＮＴ０  コントローラ（信号生成手段）
ＣＮＴ１，ＣＮＴ２，……，ＣＮＴｚ  コントローラ（状態判定手段）
ＳＷ１，ＳＷ２，……，ＳＷｚ        スイッチ
【図１】
2013118786.tif 000003
【図２】
2013118786.tif 000004
【図３】
2013118786.tif 000005
【図４】
2013118786.tif 000006
【図５】
2013118786.tif 000007
【図６】
2013118786.tif 000008
【図７】
2013118786.tif 000009
【図８】
2013118786.tif 000010